(57)【要約】【課題】プッシュピースのきわめて短い操作ストロークで蓋体の押し上げ量を十分に確保して、容器本体との係合を解除することが可能なコンパクト容器を提供する。【解決手段】容器本体１の凹所５内にプッシュピース２を前後動自在に配設するとともに凹所に突部７を形成し、プッシュピースには押圧用前壁２ａの後面から可撓部１１を介して後方へ延長されて、上側が爪片１４に下側が突部に当接される作動片８を一体的に形成するようにしたコンパクト容器において、作動片の上側と爪片の少なくともいずれか一方を第１傾斜面８ａとし、作動片の下側と突部の双方を一対の第２傾斜面７ａ，８ｂとするとともに、作動片の第２傾斜面の可撓片側端部を、可撓部が可撓変形されることに応じて作動片を突部に対して次第に立ち上がらせる突角部８ｃとした。【選択図】図３
2005245949.tif 000002
【特許請求の範囲】
【請求項１】
容器本体と蓋体とをそれぞれの後方部において開閉自在に蝶着し、該容器本体の前端縁部に凹所を形成するとともに該凹所の奥面に第１係合突起を形成し、該蓋体の前端縁部から垂下した爪片に第２係合突起を形成し、該第１係合突起と該第２係合突起の係合によって該蓋体が閉止位置を保持するようにし、該容器本体の該凹所内にプッシュピースを前後動自在に配設するとともに該凹所に突部を形成し、該プッシュピースには押圧用前壁の後面から可撓部を介して後方へ延長されて、上側が該爪片に下側が該突部に当接される作動片を一体的に形成するようにしたコンパクト容器において、
上記作動片の上側と上記爪片の少なくともいずれか一方を第１傾斜面とし、該作動片の下側と上記突部の双方を一対の第２傾斜面とするとともに、該作動片の第２傾斜面の可撓片側端部を、上記可撓部が可撓変形されることに応じて該作動片を該突部に対して次第に立ち上がらせる突角部としたことを特徴とするコンパクト容器。
【発明の詳細な説明】
【技術分野】
【０００１】
本発明は、プッシュピースのきわめて短い操作ストロークで蓋体の押し上げ量を十分に確保して、容器本体との係合を解除することが可能なコンパクト容器に関する。
【背景技術】
【０００２】
本願出願人は先に特許文献１において、容器本体に対する蓋体の閉止状態を維持する係合構造を離脱させるのに設けられるプッシュピースの操作ストロークを短くするようにしたコンパクト容器を提案している。
【０００３】
この提案では、容器本体と蓋体とをそれぞれの後方部において開閉自在に蝶着し、該容器本体の前端縁部に凹所を形成するとともに該凹所の奥面に第１の係合突起を形成し、該蓋体の前端縁部から垂下した爪片に第２の係合突起を形成し、該第１の係合突起と該第２の係合突起の係合によって該蓋体が閉止位置を保持するようにしてなるコンパクト容器において、該容器本体の該凹所内にプッシュピースを前後動自在に配設し、該プッシュピースには押圧用前壁の後面から可撓部を介して後方へ延長する作動片を一体的に形成するとともに該容器本体の該凹所の底面には突部を形成し、該蓋体の閉止位置において該作動片の上端面及び下端面を該爪片および該突部に当接するようにし、かつ互いに当接する該作動片の上端面と該爪片の少なくともいずれか一方の面を傾斜面とするとともに該作動片の下端面と該突部の少なくともいずれか一方の面を傾斜面としてなる構成を備えることにより、作動片と爪片および突部との間の少なくとも上下２か所の傾斜面により、蓋体を押し上げて容器本体との係合を解除する際の作動片の振れ量を小さく、ひいてはプッシュピースの操作ストロークを短縮できるようにしていた。
【特許文献１】実用新案登録第２６００６８３号公報
【発明の開示】
【発明が解決しようとする課題】
【０００４】
上記従来技術にあっては、傾斜面の組み合わせにより、プッシュピースの短い操作ストロークで爪片、ひいては蓋体の押し上げ量を確保して容器本体との係合を解除できるが、さらに短い操作ストロークで同程度の押し上げ量を確保することができる構造の案出が望まれていた。
【０００５】
本発明は上記従来の課題に鑑みて創案されたものであって、プッシュピースのきわめて短い操作ストロークで蓋体の押し上げ量を十分に確保して、容器本体との係合を解除することが可能なコンパクト容器を提供することを目的とする。
【課題を解決するための手段】
【０００６】
本発明にかかるコンパクト容器は、容器本体と蓋体とをそれぞれの後方部において開閉自在に蝶着し、該容器本体の前端縁部に凹所を形成するとともに該凹所の奥面に第１係合突起を形成し、該蓋体の前端縁部から垂下した爪片に第２係合突起を形成し、該第１係合突起と該第２係合突起の係合によって該蓋体が閉止位置を保持するようにし、該容器本体の該凹所内にプッシュピースを前後動自在に配設するとともに該凹所に突部を形成し、該プッシュピースには押圧用前壁の後面から可撓部を介して後方へ延長されて、上側が該爪片に下側が該突部に当接される作動片を一体的に形成するようにしたコンパクト容器において、上記作動片の上側と上記爪片の少なくともいずれか一方を第１傾斜面とし、該作動片の下側と上記突部の双方を一対の第２傾斜面とするとともに、該作動片の第２傾斜面の可撓片側端部を、上記可撓部が可撓変形されることに応じて該作動片を該突部に対して次第に立ち上がらせる突角部としたことを特徴とする。
【発明の効果】
【０００７】
本発明にかかるコンパクト容器にあっては、蓋体を押し上げて容器本体との係合を解除するにあたって、プッシュピースのきわめて短い操作ストロークで蓋体の押し上げ量を十分に確保することができる。
【発明を実施するための最良の形態】
【０００８】
以下に、本発明にかかるコンパクト容器の好適な一実施形態を、添付図面を参照して詳細に説明する。本実施形態にかかるコンパクト容器は基本的には、図１〜図３に示すように、容器本体１と、プッシュピース２と、蓋体３とから主に構成される。
【０００９】
容器本体１は、上面に化粧料を収納する凹部４が形成される。また、容器本体１の前端縁部には凹所５が形成され、この凹所５の奥面上部中央には第１係合突起６が形成される。さらに、凹所５の奥面には、第１係合突起６の下方に位置させて、前方へ突出する突部７が形成される。この突部７の上側には、後方に向かうにしたがって上向きに傾斜する突部側第２傾斜面７ａが形成される。さらにまた、凹所５の底面には前後方向に延長する案内溝９が形成される。そして、この容器本体１の凹所５にはプッシュピース２が配設される。
【００１０】
プッシュピース２は、容器本体１の凹所５の高さとほぼ等しい高さの押圧用前壁２ａとこれより後方へ延びる底壁２ｂおよび左右一対の側壁２ｃからなる平断面ほぼコ字状に形成される。また、底壁２ｂの下側には突起１０が形成され、この突起１０と凹所５の案内溝９とが係合することにより、プッシュピース２は凹所５内に前後方向へ摺動自在に配設される。また、押圧用前壁２ａの後面には、肉薄に形成されて上下方向に可撓変形自在な可撓部１１を介して、後方へ延長する作動片８が一体的に形成される。
【００１１】
さらに、作動片８には、その上側に、後方へ向かうにしたがって下向きに傾斜する第１傾斜面８ａが形成され、また下側に、後方へ向かうにしたがって上向きに傾斜して、突部側第２傾斜面７ａと対をなす作動片側第２傾斜面８ｂが形成される。そして特にこの作動片側第２傾斜面８ｂの可撓片側端部は、可撓部１１が上向きに可撓変形されることに応じて作動片８を突部側第２傾斜面７ａに対して次第に立ち上がらせるために、下向きの突角部８ｃとして形成される。
【００１２】
蓋体３は、容器本体１の上面を覆うように形成されており、内面に鏡１２が貼着され、容器本体１とそれぞれの後方部において蝶番１３を介して開閉自在に蝶着される。また、蓋体３の前方中央部には爪片１４が垂下形成され、この爪片１４の下方内面には容器本体１の第１係合突起６と係合可能な第２係合突起１５が形成される。
【００１３】
上記のような構成のコンパクト容器において、蓋体３が閉止した状態では、容器本体１の第１係合突起６と蓋体３の第２係合突起１５とが係合して止錠状態となっている。そして、プッシュピース２の作動片８は、上側の第１傾斜面８ａと蓋体３の爪片１４の下端部が当接し、かつ作動片側第２傾斜面８ｂが突部側第２傾斜面７ａ上に面接触した状態で、可撓部１１はほぼ水平状態となっている。また、プッシュピース２の押圧用前壁２ａは容器本体１および蓋体３の前面とほぼ一致している。
【００１４】
このようなコンパクト容器の蓋体３をその止錠位置から開放するには、プッシュピース２の押圧用前壁２ａを内方に押圧する。すると、プッシュピース２が容器本体１の凹所５の底面を後方へ水平移動し、これに伴ってその作動片８が、容器本体１の突部７と蓋体３の爪片１４との間隙に楔のように押し込まれていき、このとき、作動片側第２傾斜面８ｂについては、突部側第２傾斜面７ａに対する摺動を開始するとほぼ同時に可撓部１１の上向きの可撓変形によってその突角部８ｃが突部側第２傾斜面７ａと当接するようになり、これにより作動片８は、プッシュピース２が押し込み操作されると即座に突部側第２傾斜面７ａ上をこれに対して次第に角度をなして移動していく形態で上方へ振り上げられる。この振り上げ動作と同時に、作動片８の第１傾斜面８ａが爪片１４の下端部に対し、当該爪片１４を上方へ迫り上げるように摺動することとなり、爪片１４を上方へ跳ね上げる作用を、作動片８の上下２つの傾斜面８ａ，８ｂおよびその突角部８ｃによって得ることができる。そして、これにより第１係合突起６と第２係合突起１５との係合が解除され、蓋体３を開放することができる。
【００１５】
特に、本実施形態にあっては、作動片側第２傾斜面８ｂおよびその突角部８ｃは単に突部側第２傾斜面７ａ上をこれに沿って移動する、単純なくさび作用に止まるものではなく、可撓部１１の可撓変形に従って、作動片側第２傾斜面８ｂの端部となっている突角部８ｃが作動片側第２傾斜面８ｂを、突部側第２傾斜面７ａ上で次第に角度をなすように移動させるようになっていて、これによりプッシュピース２のきわめて短い操作ストロークであっても、爪片１４、ひいては蓋体３の押し上げ量を十分に確保することができ、瞬時に容器本体１との係合を解除することができる。そしてこのように操作ストロークを短く設定できることにより、凹所５の寸法を小さくすることができて、コンパクト容器全体の外形寸法も小さくすることが可能となる。
【図面の簡単な説明】
【００１６】
【図１】本発明にかかるコンパクト容器の好適な一実施形態を示す側断面図である。
【図２】図１のコンパクト容器における蓋体の係合状態を示す要部拡大側断面図である。
【図３】図１のコンパクト容器におけるプッシュピースの押圧操作状態を示す要部拡大側断面図である。
【符号の説明】
【００１７】
１  容器本体
２  プッシュピース
２ａ  押圧用前壁
３  蓋体
５  凹所
６  第１係合突起
７  突部
７ａ  突部側第２傾斜面
８  作動片
８ａ  第１傾斜面
８ｂ  作動片側第２傾斜面
８ｃ  突角部
１１  可撓部
１４  爪片
１５  第２係合突起
【図１】
2005245949.tif 000003
【図２】
2005245949.tif 000004
【図３】
2005245949.tif 000005